(57)【特許請求の範囲】
【請求項１】
両端に突設して取り付けられた注液器先端部差込口を有し、該差込口に連接して液体試料が薄膜状に貯留保持される扁平キャピラリー空間を有してなる液体被検試料保存容器であって、該注液器先端部差込口の差込開口構造を、注液器先端部を差入れ自在に挿入しうる広い開口を有する入口側から、差入れられた注液器先端が密着して当接される狭い開口を有する奥側へとテーパーを付した構造とし、容器の材質は、少なくとも液体被検試料が貯留保持されるキャピラリー空間領域は、外から観察可能なように透明材料によって構成されていることを特徴とする液体被検試料保存容器。
【請求項２】
前記扁平なキャピラリー空間が、観察に適した狭いギャップによって構成されていることを特徴とする請求項１記載の液体被検試料保存容器。
【請求項３】
前記透明材料が、ガラス又はプラスチックの何れかよりなるものであることを特徴とする請求項１又は２記載の液体被検試料保存容器。
【請求項４】
前記プラスチックが、非晶質ポリオレフィン樹脂であることを特徴とする請求項3記載の液体被検試料保存容器。
【発明の詳細な説明】
【０００１】
【発明の属する技術分野】
本発明は、液体被検試料あるいは液体媒質に分散された微小被検物を検査、分析、測定する際に使用する液体被検試料保存容器に関するものである。
【０００２】
【従来の技術と発明が解決しようする課題】
被検試料が液体である場合、被検試料液体を保存する容器として、試験管のような手段があげられる。しかしながら、観察、測定手段が、試験管に保持されている状態においても観察、測定可能な測定方法・測定装置ならともかく、例えば光学顕微鏡によって液体試料を観察しようとするにおいては、試験管に保持したままでは観察することは出来ない。このような場合は、プレパラートの上に試料液体をほんの少し採取し、観察するしかなかった。そして、試料のセット方向も、液がこぼれたりしないように、一定の方向にセットした状態でしか観察することが出来ず、試料を任意の方向に傾けた状態で観察するようなことには限界があり、全方位に回転して観察するようなことは出来なかった。
【０００３】
このような液体を被検体とする事例として、最近多くなってきた事例の一つに、ＤＮＡの研究を始め各種生体反応の研究、観察が上げられる。例えば、骨芽細胞等の培養試験を始め、いわゆるバイオ関連の研究が盛んになってきている。一般に、バイオに関連する研究は、その研究手法にも拠るが、相当な数の被検体を用意し、長期にわたり継続的に観察されることが多い。これを例えば、細胞の培養試験を例にとって説明すると、従来の観察方法は、細胞を培養している培養器より、試料を培養液と共にプレパラートに採取し、光学顕微鏡等にセットして観察するものであるが、そのセットするまでの作業をとってみても、かなりの熟練と、労力を要するだけのみならず、これを、数多くの被検体について連続的に繰り返し行うことは、それ自体大変な労力を要し、研究活動に重大な支障を来すことになり、効率よく研究をする上において障害となる要因の一つとなっている。
【０００４】
また、慎重にプレパラート等にセットされた試料についても、一度プレパラート上に採取された試料ではいつまでも培養器の環境を保つことはできず、準備した一つの試料だけで観察を続けるには自ずと限界があり、あまり長時間にわたって観察することは出来ない。すなわち、経時的観察を続けようとすると、培養していた培養器からその都度プレパラートに採取し、セットするという作業を必要とするものであった。準備する観測被検体の数は、調査しようとする経時的観察試料の分だけ増え、繰り返し準備する作業量は、大きな負担となっている。すなわち、このような作業態様に拠らざるを得なかった作業負担は決して小さいということはなかった。
【０００５】
さらに、液体を被検体とする例としては、上記生体反応以外にも、河川水の水質調査等がある。調査すべき現地水質を採取し、そこにすむ水質環境微生物の確認とその生態観察がある。あるいは、水質に発生しているプランクトン等微小生物の採取と観察がある。
これら調査においては、ここでも生物関係を被検体とする場合、これを研究室に持ち帰り、研究室において極力環境に近い状態に維持・管理し、観察することが求められているが、これまでの方法では、このような被検試料を長期にわたり、採取した環境と同じように保持することは困難であった。したがって、観察は、新しい試料をその都度、採取し、セットすることを余儀なくされていた。
【０００６】
あるいは、光吸収率の高い液体試料を分光分析する場合、液体層の厚さを薄くして光の透過率をある程度上げてやることによって、測定が可能になることは分かってはいたが、これに応えられるような利便性の高い液体被検試料保存容器  が開発されておらず、液体に関しては、かかる分析は困難なものであった。
【０００７】
すなわち、液体を被検体とする測定、観察技術においては、被検試料が液体であるが故に、また、バイオにかかわる事例が多い故にその観察手段には、様々な問題を抱えているものであり、そのような不都合のない汎用性に富んだ保存容器の開発が望まれていた。本発明は、特に特段のことがない限りは測定手段によってその使用が制限されることのない、すなわち汎用性に富んだ液体被検試料保存容器を提供しようというものであり、一度セットされた試料は、比較的長時間に亘って連続的に観察、測定することが出来、したがって従来行ってきた要領による測定作業に比し、その都度セットする必要のない、能率よく正確に観察することのできる液体被検試料保存容器を提供しようというものである。
【０００８】
【課題を解決するための手段】
そのため、本発明者においては鋭意研究した結果、被検液体を収容する容器を、透明な材質で出来た扁平な形状の狭い扁平なギャップのキャピラリー空間を有する容器構造とすることにより、この容器の扁平なキャピラリー空間に貯留された液体を外からでも観察可能にし、液漏れ等の不都合もなく、光の透過性の良好な、しかも一度セットされた試料は、閉鎖されている状態で保持されているところから長期にわたり保持することが出来、比較的に長期間にわたり観察、測定に供することが出来、これによって効率的に連続して観察することが出来、研究活動にも大いに寄与する液体被検試料保存容器を提供しようというものである。
【０００９】
すなわち、本発明の第１の解決手段は、液体被検試料保存容器の構成を、（１）両端に容器に突設して取り付けられた注液器先端部差込口を有し、該差込口に連接して液体試料が薄膜状に貯留保持される扁平キャピラリー空間を有してなる液体被検試料保存容器であって、該注液器先端部差込口の差込開口構造をして、注液器先端部を差入れ自在に挿入しうる広い開口を有する入口側から、差入れられた注液器先端部が密着して当接される狭い開口を有する奥側へとテーパーを付した構造とし、容器の材質は、少なくとも液体被検試料が貯留保持されるキャピラリー空間領域は、外から観察可能なように透明材料によって構成されていることを特徴とするものである。
【００１０】
また、本発明の第２の解決手段は、第１の解決手段に示す液体被検試料保存容器において、（２）その扁平なキャピラリー空間が、観察に適した狭いギャップによって構成されていることを特徴とするものである。
【００１１】
第３番目の解決手段は、第１番目の解決手段に示す液体被検試料保存容器において、（４）その透明材料が、ガラス又はプラスチックの何れかよりなるものであることを特徴とするものである。
【００１２】
第４番目の解決手段は、第３番目の解決手段に示す液体被検試料保存容器において、（４）そのプラスチックが、非晶質ポリオレフィン樹脂であることを特徴とするものである。
【００１３】
本発明の容器は、扁平した狭いキャピラリー空間を有する構造とし、この空間内に液体試料を貯留する構造としていることからも明らかなように、この容器を使用するに際しては、特定の注入手段によらなければならない。すなわち、シリンジ、スポイト、ピペット等差込口の形状にほぼ対応、一致した先細形状の先端部を有する注液器に試料液を採取し、これをキャピラリー空間に圧入することによって液体被検試料を容器に注入する。試料液は、そのまま貯留され、容器と一体になって測定、観察試料として保存される。
【００１４】
ここに、上記（１）に記載する要件事項による技術的意義は、容器の材質として透明な材質を選定したことにより、外からでも観察できるようにしたものであり、扁平したキャピラリー空間に液体試料を薄く封じ込めるようにしたことによって、光の透過性を確保するとともに、観察しようとする液体中に分散している試料片が重なることなく、単独で分散した状態を確保しやすくし、以て観察し易い状態を確保することができるようにしているものである。
【００１５】
また、両端に付設された注液器先端部差込口の差込開口部を、テーパー構造とした点の技術的意義は、狭いギャップの扁平したキャピラリー空間内に試料液を注液する場合、その注液の際に泡が混入する場合があり、これを防ごうとするものである。
すなわち、該注液器先端部に対する差込口の構造を、該先端部の差入が簡単、自在にしうるよう広い開口を有する入口部から狭い開口をした奥部へとテーパーが付された構造に設定することにより、差入れられた注液器先端部と該差込口との関係を密着しうるようにし、これによって試料液を一気に圧入することにより、泡の混入が生じないように配慮してなるものである。
【００１６】
なお、泡が混入する原因については後でも詳しく述べるが、ここで簡単に触れると以下の通りと考えられる。すなわち、狭い扁平したキャピラリー空間内に注液器操作によって液体を注入するにおいては、扁平したキャピラリーという非常に液体が流れにくい構造に加え、注入するための手段たる注液器先端を、テーパーが付されていない単に注入用の開口が形成されただけの注入口に差込み、液体を圧入しようとしても、注液器の密着状態が担保されず、キャピラリーに流入していく試料には圧力がほとんど掛からない状態となり、キャピラリーの流体抵抗のため液体の流入速度が遅くなる。一方、液体と容器内壁の濡れ方は、容器内壁の清浄度の場所による微妙な差や、キャピラリーの中心部か端かといった局所的な形状の違いに依存して異なるため、キャピラリー内に流入していく液体の最前線の液面の形状はそのような濡れ方の差異を反映して湾曲していく傾向にある。液体の流入速度が遅いと、最前線の液面の湾曲が高じて、ついには気泡を抱き込む結果となる。
【００１７】
実際、テーパーの付されていない、すなわち、同一内径の円筒状構造の差込口に拠るときは気泡が混入してしまう確率が高かった。特に針の付いたシリンジによる場合には、前示気泡の巻き込みによる泡の混入が生じやすかった。しかし、差込口の構造をテーパーを付した構造に設定した本発明の容器を用いると、すなわち、後述する本発明実施態様図を表す図１、あるいはその一部を拡大して示している図２に示すようにテーパー部７によって容器と注液器の間を簡単に密着でき、注液器３のピストン８の押し込みにより試料液体を強制的に高速に注入することが可能であり、キャピラリー内に流入していく液体の最前線の液面の形状が湾曲する現象が進行する前に素早く注液を完了することができ、気泡の混入を防ぐことができる。注液操作が終われば、必要があればそのまま残し、それ以外は、注液器先端を容器から外すが、このとき、テーパー部７で当接しているため、注液器を差込む方向とは逆方向に抜くだけで、注液器先端と容器口との密着状態を簡単に解消できるので、簡単に取り外し操作が行えるものである。
【００１８】
なお、一度混入した泡は、  当然のことながら観察するのに障害となる。しかも、一度狭いキャピラリー空間に混入した泡は、これを取り除くことは、極めて困難であるだけではなく、いったん泡が混入したような場合、観察手段としての使用に適さないものとしてその試料価値は半減し、高価な容器と共に廃棄処分せざるを得ないこととなる。以上から、テーパー構造に設定するという簡単な手段を講じることによって、泡の混入問題を解決した点の意義は非常に大きいといえる。
【００１９】
（２）に記載する要件事項による技術的意義は、（１）記載の容器について、その構成要件である扁平なキャピラリー空間の設定を、あまり大きく設定しない方が、試料を薄く展開でき、観察に適していることより、この点を考慮して狭く設定したものである。そのギャップの設定範囲は、０．５ミリぐらいまでが好ましい。これを超えると、試料液体を薄く展開できず、顕微鏡観察等汎用性のある観察器具としては、さほどのメリットを期待できない。但し、この数値は、あくまでも汎用性を考慮した場合の一実施態様としての数値であって、これに限定する趣旨ではない。
すなわち、発明の目的を変更しない限りにおいて、これを超える設定も実施態様として含むことは当然であり、その場合、通常のビン等の単なる収容容器とは自ずと区別されるべきである。
【００２０】
（３）に記載する要件事項による技術的意義は、注液器先端差込口を容器に突設して設けることにより、注入する液量をキャピラリー部の上端面より高く設定しうるようにするためのものであり、これによってキャピラリー内を注入する液量で完全に満たすようにするためのものである。換言すれば、キャピラリー内に液体非貯留空隙部をつくらないようにするためである。
【００２１】
（４）に記載する要件事項による技術的意義は、容器内の試料を外から観察しうるようにする（１）記載の容器を実現するための具体的材料選定を開示するものである。
【００２２】
【発明の実施の形態及び実施例】
以下に、本発明の液体被検試料保存容器とその使用態様を図面に基づいて説明する。
図１において、２は透明な材料でつくられている狭いギャップの扁平キャピラリー空間５を有する液体被検試料保存容器であり、注液器３の先端部４を差し込むための差込口１が容器２の両端に設けられている。一方の差込口１からもう一方の差込口１までは該扁平キャピラリー空間５を介して連続した一つの空間を構成している。図２は、注液器３の先端部４と容器２の差込口１との差込取付関係を表す拡大図であり、差込口１は、広い開口を有する入口側から、狭い通路の奥側へとテーパー７を付した構造に設定されており、これによって注液器３の先端部４を差込口１に差込むだけの簡単な操作によって、密着して取り付けられるように構成されており、すなわち、注液器３は、容器２に気密に取り付けられ、液体６を容器２のキャピラリー空間５に圧入することができるものである。このテーパー７の設定は、具体的に一例を挙げると、市販されている標準的なルアー型注液器（注射器）３の注射針取りつけ部分４に密着する形状を採用すればよい。
ただし、これに限定されるものではない。
なお、図２において、６は、容器内に封入された液体試料を指している。
【００２３】
キャピラリーの長さ、幅については特に制限はなく、任意に設定して差し支えないが、その使用する観察目的、観察機器に応じて、決定すればよい。
容器の壁の厚みについても、これは基本的には特に制限されることはないが、ただ強度の点からは一定の厚みは必要であることから、この点を考慮して決定すればよい。
【００２４】
まず、液体被検試料６を注液器３に採取し、注液器３の先端部４を差込口１のテーパー部７に差込む。その差込量は、該先端部がテーパーに直接当接し、注液器と容器との関係が気密に当接するまで差込むものである。次いで、キャピラリー５内に液体試料６を圧力を掛けながら強制的に注入する。これを、例えば注液器３の先端部４に針（図示外）を取りつけ、容器の差込口１に差し入れて液体試料を注入するような場合、あるいは、差込口１を単に同一内径の円筒状に設定し、本発明のようにテーパーを付した構造に設定していない場合、注液器３と容器２との密着性を維持することが困難となり、その結果、（００１５）ないし（００１７）で述べたように注入時に空気の抱込みによる泡の発生現象が生じ、観察用保存試料としての価値が半減してしまう結果となる。
【００２５】
すなわち、容器２と注液器３との関係を、充分に密着した状態に当接されていない場合、狭いキャピラリー空間内に流入していく液体試料には、圧力がほとんど掛からずに、専らキャピラリーの流体抵抗が作用し、その結果液体の流入速度が遅くなる。また、液体６と容器内壁の濡れ方は、容器内壁の清浄度の場所による微妙な差や、キャピラリーの中心部であるか端であるかといった局所的な形状の違いに依存して異なるため、注液の際にキャピラリー５内に流入していく液体の最前線の液面の形状はそのような濡れ方の差異を反映して湾曲していく傾向にある。液体の流入速度が遅いと、最前線の液面の湾曲が高じて、ついには気泡を抱き込む結果となる。実際、従来の注入方法では気泡が混入してしまう確率が高かった。
【００２６】
しかし、差込口１の構造をテーパー７を付した構造とすることにより、注液器３の先端４を差込口１に単に差し込むだけで、両者はテーパー部７により簡単に密着できるため、注液器３のピストン８を作用させて圧入するだけで試料液体を強制的に高速に注入することが可能となり、キャピラリー５内に流入していく液体の最前線の液面の形状が湾曲する現象が進行する前に素早く注液を完了することができ、気泡が混入することが防がれる。注液操作が終われば、必要があれば注液器先端４を差込口１にそのまま差し込んだ状態にしておいてもいいが、通常はこれを取り外し、該差込口１をシーリング材によって封止する。この取り外しのとき、先端部４と差込口１とはテーパー部分７で差し込まれた状態で当接しているため、両者の当接関係は、差込方向と逆方向に抜き取るだけで無理な力を要することなく簡単に解徐でき、取り外すことができる。この取り外しが、力を要しないと解除が困難であるような場合と対比すると、取り外しに無理な力を要する場合には、キャピラリー内の液体を吸いだしてしまうといったトラブルを起こすことがあるのに対して、本発明においては、かかる事態が生じることがない。
【００２７】
容器の材質としては、硬質、透明な材質が適当であり、例えば、石英ガラス、各種光学ガラス、プラスチック（ポリカーボネイト、アクリル、ポリスチレン等々）が挙げられる。特に、ガラスを用いる場合は、キャピラリー部の平坦面を光学研磨した平滑性の高いものにすることが可能であるので試料の光学顕微鏡による高画質の観察に有利であるし、さらに、紫外光領域の分光測定を行うことができる。また、プラスチックを用いる場合は、金型成形による安価な容器の大量生産が可能であるという利点がある。
【００２８】
ただし、容器材質としてプラスチックを使用し、かつ、試料液体が水あるいは水溶液である場合は、一般にプラスチックは、ガラスと異なり、僅かではあるが透湿性があり、液体試料を長期保存しようとする場合には、この点について充分に留意し、配慮するべきである。
プラスチックの水分の透過を示す性質は、「透湿性」、その値を示す量は「透湿度」が用いられている。ここに、「透湿度」についてはＪＩＳ規格（ＪＩＳ  Ｚ  ０２０８）に規定されている。
この規定による透湿度は、ｇ／ｍ２・２４Ｈｒ、４０℃、９０％ＲＨなる単位で表わされる。
すなわち、４０℃、相対湿度９０％の環境で面積１ｍ２のプラスチックを２４時間かけて透過する水分重量を示す値で表される。
【００２９】
上記定義による透湿度に基づいて、厚さ１ｍｍとしたときのプラスチックの透湿度を具体的に開示すると、例えば、ポリカーボネートが約４、ポリスチレン約３、ポリプロピレン約０．３、高密度ポリエチレン０．１３、の順で示され、プラスチックによって透湿度にかなりの違いがある。
例えば、容器を、容器材質ポリカーボネイト製、容器の壁の厚さ１ｍｍ、容器の表面積０．００１ｍ２  （１０ｃｍ２）、単位面積当たり換算被検水溶液量１００ｇ／  ｍ２から５００ｇ／  ｍ２（容器内の実際の溶液量は０．１ｇから０．５ｇ）に設定した場合、上記の透湿度で計算すると、容器内の水が容器壁材を通して、外に放出され、その結果容器内の水が消失するのに要する時間は、２５日から１２５日となり、これは実際に長期保存した場合に経験した値と概ね一致した。
【００３０】
すなわち、プラスチックを使用する場合、その透湿度についても知っておくことは、保存期間の目安になり、重要である。
なお、前示列挙したプラスチック樹脂は、透明樹脂としては何れも非常に良く知られたありふれたものであり、これらも含め種々のプラスチックの中から容器材質を選択する場合は、長期保存性に配慮する場合、透湿度についても選択指針の一つとして考慮すべきである。
すなわち、液体試料の長期保存用容器に適した材質としては、透湿度が小さく（目安としては厚さを１ｍｍとした場合の透湿度が０．３  ｇ／ｍ２・２４Ｈｒ、４０℃、  ９０％ＲＨ程度以下）光学的透明性に優れていることが求められ、これを種々の透明プラスチック樹脂についてその透湿度を調査した結果、特に本発明容器材質に適したものとしては非晶性ポリオレフィン樹脂が挙げられる。具体的な商品名としては、三井化学のＡＰＯ、同じく同社のアペル、あるいは、日本ゼオンのＺＥＯＮＥＸが挙げらる。これらの製品の厚さを１ｍｍとした場合の透湿度は０．１ｇ／ｍ２・２４Ｈｒ、４０℃、９０％ＲＨ以下に達し、また、これらの樹脂はいずれも光弾性係数が小さく、偏光測定が可能な容器を形成できる点でもきわめて都合が良いことが分かった。
【００３１】
本発明の液体被検試料保存容器の使用例、利用例としては以下に示すような各種使用例等が挙げられるが、ただしこれらの使用例に限定されるものではない。
使用例その１；水質を調査するための保存用容器としての使用例
調査河川・湖沼・海域より水を採取し、水質の状態を検査・同定するために活性プランクトンを入れ、これを試料液として注液器によって本発明の容器に分取する。これを顕微鏡観察し、運動が不活発になったり死滅したりする状況から、水質に関する情報を得る。
【００３２】
使用例その２；プランクトン種の同定・検査用保存容器としての使用例
赤潮等の発生した海域よりプランクトンを採取し、あるいは付近の海水を採取し、これを本発明容器内に分取し、保存し、顕微鏡下で観察し、赤潮プランクトンの同定、付近水質の諸問題を調査、研究する資料とした。研究終了後は、そのまま密閉保持し、あるいは注液器により容器内に防腐剤を流し込み、検体サンプルとして保存する。
【００３３】
使用例その３；薬剤に対する微生物の耐性検査
希釈した薬剤を用意し、微生物を混入し、これを本発明容器に採取し、顕微鏡下で観察し、薬剤の作用効果を連続的に確認する。
【００３４】
使用例その４；骨芽細胞の自家再生培養試験の観察
培養器内で培養している骨芽細胞を培養液とともに本発明容器に採取し、その再生状態を長期に亘り顕微鏡観察し、これにより細胞の自家再生技術情報を得る。
なお、ここでは、骨芽細胞の培養試験を挙げたが、骨芽細胞に限らずそれ以外の各種細胞の培養試験にも適用できることはいうまでもない。その例として、最近注目されている万能細胞の培養試験試料を採取し、これを観察することもその一例に挙げられる。
【００３５】
使用例その５；光吸収率の高い溶液における化学反応の経時過程の検査。
反応液を本発明の容器に採取し、これを分光測定に付し、反応の進行具合を分光スペクトルにより確認、調査し、以て、反応制御技術情報を得る。
【００３６】
使用例その６；光触媒の有効性の検査。
近年、二酸化チタンの光触媒性能が注目されている。その一例として有機物の光分解反応がある。有機物を混入した溶液に、二酸化チタン微粒子等の光触媒粒子を分散し、これを本発明容器に採取し、外から光を一定時間照射し、有機物の分解状態を分光測定により調べる。
【００３７】
本発明の容器は、特に観察方法が、主として顕微鏡による観察に基づいているその１〜その４に示す使用例の場合、試料片が複数個重なって見えたり、顕微鏡の焦点深さ方向に運動して焦点からはずれてしまったりすることを抑えることができ、また、空気の抱込みによる試料観察の妨げの原因となる泡の発生を抑えることができる容器であり、それ自体極めて有効な観察手段といえる。
【００３８】
また、使用例その５、６においては、その観察方法は透過光の分光測定によるものであることから、その測定に際しては、測定するに充分な透過光を確保することが求められるものであるが、本発明の容器は、透明な材料で構成され、しかもその液体貯留空間を扁平な狭いギャップのキャピラリー空間に設定したことにより、試料液を光透過性のよい薄膜状に保持することができ、該分光分析に付すことが可能とするものである。すなわち、これまでは困難とされきた、液体の分光分析を可能とし、これによって、分析の幅を広げることに大いに寄与するものである。なお、この分光分析に拠る使用例においても、気泡の存在は測定の妨げになるものであることはいうまでもなく、気泡の混入問題をも解決した本発明の意義は極めて大きい。
【００３９】
なお、上記の例にとどまらず、本発明の容器は、一般に液体試料、あるいは、液体に分散体が分散してなる液体試料を、気泡を混入させずに均一に薄い液膜状に展開し、光学的観察や光学的測定をする必要のある場合に広く利用しうるものであることはいうまでもない。
【発明の効果】
以上のように、本発明の容器によれば、簡単に、気泡の混入なく液体試料を薄く均一に展開し、光学的観察や分光測定が容易にできる状態に保存でき、かつ、長期間密閉保存することができる。その応用範囲、利用範囲については、全く制限はなく、汎用性の高い観察容器を提供しているものであり、その意義は極めて大きい。このことは、ひとえに研究、実験に携わる者にとどまらず、理科教育の教材等に使用することによって、広く教育界、教育産業にも大きく貢献し、寄与するものと期待される。
【図面の簡単な説明】
【図１】本発明に係わる平板状キャピラリー容器の構造とその使用法を示す説明図である。
【図２】注液器先端部と容器差込口の関係を示す拡大図
【符号の説明】
１・・・注液器先端差込口
２・・・平板状キャピラリー容器
３・・・注液器
４・・・注液器先端部
５・・・キャピラリー内部
６・・・液体試料
７・・・テーパー部
８・・・ピストン
【図１】
0003605640.tif 000002
【図２】
0003605640.tif 000003